(57)【要約】      （修正有）【課題】落下を確実に防止することができる照明装置を提供する。【解決手段】照明装置は、底板１１と、該底板１１の縁辺から立設された側板１２と、底板１１及び側板１２で構成された収容部に収容された光源と、側板１２で囲まれた開口を覆う透光板と、底板１１の開口と反対側の裏面に固定された複数の取付部材５０とを備える。側板１２の適長離隔した位置に取り付けられた複数の落下防止部材４０を備え、各落下防止部材４０は、側板１２の表面に平行に配置された平板部材４１と、該平板部材４１から側板１２の表面に対して垂直方向に延設された立板部材４２とを有し、立板部材４２は、照明装置の落下防止用のワイヤを挿通する少なくとも一つのワイヤ挿通孔４２２を有する。【選択図】図１
0003213563.tif 000002
【実用新案登録請求の範囲】
【請求項１】
底板と、該底板の縁辺から立設された側板と、前記底板及び側板で構成された収容部に収容された光源と、前記側板で囲まれた開口を覆う透光板と、前記底板の前記開口と反対側の裏面に固定された複数の取付部材とを備える照明装置であって、
前記側板の適長離隔した位置に取り付けられた複数の落下防止部材を備え、
各落下防止部材は、
前記側板の表面に平行に配置された平板部材と、
該平板部材から前記側板の表面に対して垂直方向に延設された立板部材と
を有し、
前記立板部材は、
前記照明装置の落下防止用のワイヤを挿通する少なくとも一つのワイヤ挿通孔を有する照明装置。
【請求項２】
前記立板部材は、
前記透光板の落下防止用のバンドを挿通するバンド挿通孔を有する請求項１に記載の照明装置。
【請求項３】
前記バンド挿通孔は、
長手側が前記平板部材に平行な長孔である請求項２に記載の照明装置。
【請求項４】
前記ワイヤ挿通孔の中央部を通る前記垂直方向の仮想直線の位置は、
前記バンド挿通孔の短手側の端部の位置に対して該バンド挿通孔の中央部と反対側に向かって所要距離だけ偏位している請求項２又は請求項３に記載の照明装置。
【請求項５】
前記複数の落下防止部材は、
前記複数の取付部材に対応して配置され、
前記複数の取付部材それぞれは、
前記底板の裏面から前記垂直方向に沿って突出した長尺状をなし、
一の落下防止部材の前記バンド挿通孔を通る前記垂直方向の仮想直線は、
前記一の落下防止部材に対応する一の取付部材の長手側の端部から離隔する方向に向かって所要距離だけ偏位している請求項２から請求項４のいずれか一項に記載の照明装置。
【請求項６】
前記側板に固定されるヒンジ固定板を有し、前記透光板を回動可能に支持するヒンジ部を備え、
前記平板部材及びヒンジ固定板それぞれは、
共通の固定部材によって前記側板に固定されている請求項１から請求項５のいずれか一項に記載の照明装置。
【考案の詳細な説明】
【技術分野】
【０００１】
本考案は、照明装置に関する。
【背景技術】
【０００２】
トンネル用の照明器具などの屋外環境で使用する照明器具では、器具本体に光源を収容し、器具本体に設けられた長方形状の開口をガラス板のような透光性カバーで塞ぐ構造のものがある。
【０００３】
特許文献１には、正面に開口が形成された箱状体の本体を備え、開口が透明ガラスの照明カバーにより塞がれ、本体の裏面には２本の取付金具が取り付けら、２本の取付金具をトンネルの壁に固定された固定金具に取り付けることにより、トンネル内に設置するトンネル照明器具が開示されている。
【先行技術文献】
【特許文献】
【０００４】
【特許文献１】特開２０１１−２０４４５５号公報
【考案の概要】
【考案が解決しようとする課題】
【０００５】
トンネル内は車両や歩行者が通行するので、トンネル照明器具が何らかの不都合により落下することがないように万全の対策を講じる必要がある。しかし、例えば、取付金具に落下防止用のワイヤを通すための孔を追加で設けた場合、孔の数が増加し取付金具の強度が低下するおそれがある。また、落下防止用のワイヤを固定する金具を本体に設けるには、金具を取り付けるために孔を本体に設ける必要があり、当該孔から水が照明器具内に浸入するおそれがある。
【０００６】
本考案は斯かる事情に鑑みてなされたものであり、落下を確実に防止することができる照明装置を提供することを目的とする。
【課題を解決するための手段】
【０００７】
本考案に係る照明装置は、底板と、該底板の縁辺から立設された側板と、前記底板及び側板で構成された収容部に収容された光源と、前記側板で囲まれた開口を覆う透光板と、前記底板の前記開口と反対側の裏面に固定された複数の取付部材とを備える照明装置であって、前記側板の適長離隔した位置に取り付けられた複数の落下防止部材を備え、各落下防止部材は、前記側板の表面に平行に配置された平板部材と、該平板部材から前記側板の表面に対して垂直方向に延設された立板部材とを有し、前記立板部材は、前記照明装置の落下防止用のワイヤを挿通する少なくとも一つのワイヤ挿通孔を有する。
【考案の効果】
【０００８】
本考案によれば、落下を確実に防止することができる。
【図面の簡単な説明】
【０００９】
【図１】本実施の形態の照明装置の構成の一例を示す外観斜視図である。
【図２】本実施の形態の照明装置にバンドを装着した状態を示す外観斜視図である。
【図３】本実施の形態の照明装置の設置状態の一例を示す説明図である。
【図４】本実施の形態の照明装置のヒンジ部の要部構成の一例を示す説明図である。
【図５】本実施の形態の照明装置の取付部材及び落下防止部材の位置関係の一例を示す説明図である。
【考案を実施するための形態】
【００１０】
以下、本考案の実施の形態を図面に基づいて説明する。図１は本実施の形態の照明装置の構成の一例を示す外観斜視図である。本実施の形態の照明装置は、照明装置本体１０を備える。照明装置本体１０は、長尺の底板１１、底板１１の長手側及び短手側の縁辺から周状に立設された側板１２、底板１１及び側板１２で構成された収容部に収容された光源（不図示）を備える。周状に立設された側板１２で囲まれた開口（不図示）は、透光板としての前面カバー２０で覆われている。
【００１１】
底板１１、側板１２の材質は、例えば、ステンレス等の金属とすることができる。なお、材質はステンレスに限定されない。例えば、アルミニウム等の金属を用いることもできる。底板１１と側板１２は、例えば、ステンレス等の金属をプレス成形によって一体形成することができる。なお、成形方法は、プレス成形に限定されない。例えば、押出し成形を用いることもできる。
【００１２】
底板１１の前面カバー２０と反対側の裏面には、二つの取付部材５０が適長離隔して固定されている。取付部材５０は、長尺状をなし、底板１１の短手方向に沿って底板１１の長手側から突出している。取付部材５０は、底板１１の裏面から突出した箇所に一対の取付孔５１を形成してある。
【００１３】
照明装置を設置した状態で上側になる側板１２には、二つの取付部材５０に対応するように二つの落下防止部材４０が適長離隔した位置に取り付けられている。落下防止部材４０は、照明装置の中央部から両端部の方向に向かった適宜の２箇所に設けられている。
【００１４】
落下防止部材４０は、上側の側板１２の表面に平行に配置された平板部材４１と、平板部材４１から側板１２の表面に対して垂直方向に延設された立板部材４２とを有する。落下防止部材４０は、平板部材４１と立板部材４２とによって、縦断面形状がＬ字状をなすように構成することができる。
【００１５】
立板部材４２は、照明装置の落下防止用のワイヤ（８０）を挿通する少なくとも一つのワイヤ挿通孔４２２を有する。図１の例では、立板部材４２には、上側の側板１２の表面に平行に離隔して二つのワイヤ挿通孔４２２を形成してある。
【００１６】
また、立板部材４２は、前面カバー２０の落下防止用のバンドを挿通するバンド挿通孔４２１を有する。バンド挿通孔４２１は、長孔とすることができ、長孔の長手側が平板部材４１（すなわち、上側の側板１２の表面）と平行となっている。また、バンド挿通孔４２１は、ワイヤ挿通孔４２２の位置よりも側板１２から離れる方向に向かった位置に形成されている。
【００１７】
前面カバー２０は、環状の枠体２１、枠体２１の開口に取り付けられた前面ガラス２２などを備える。なお、枠体２１と前面ガラス２２との間は、防水機能が施され水に浸入を防ぐことができる。
【００１８】
前面カバー２０は、前面カバー２０の上側に設けられたヒンジ部３０により照明装置本体１０の開口に対して開閉可能に回動することができる。側板１２で囲まれた開口には、防水機能としてのパッキン（不図示）を周設している。パッキンの材質は、弾性を有する材質、例えば、ＣＲ（クロロプレンゴム）又はシリコン等のスポンジゴム、あるいはＥＰＴ（エチレン−プロピレン  ターポリマ）等の合成樹脂などとすることができる。前面カバー２０を閉じた状態では、前面カバー２０と照明装置本体１０との間は密閉されて水の浸入を防止することができる。
【００１９】
ヒンジ部３０は、二つの落下防止部材４０に対応した位置にそれぞれ設けられている。ヒンジ部３０は、側板１２に固定されるヒンジ固定板３１を有し、前面カバー２０を回動可能に支持する。
【００２０】
下側の側板１２のヒンジ部３０に対応する位置には、それぞれラッチ６０が設けられている。前面カバー２０を閉じた場合には、ラッチ６０を枠体２１に係合させることにより、前面カバー２０と照明装置本体１０との間を密閉しつつ確実に固定することができる。
【００２１】
図２は本実施の形態の照明装置にバンド７０を装着した状態を示す外観斜視図である。図２に示すように、バンド７０は、バンド挿通孔４２１に挿通させて、前面カバー２０が側板１２（照明装置本体１０）から離脱しないように巻き付けることができる。
【００２２】
バンド挿通孔４２１を上側の側板１２の表面に平行（すなわち、平板部材４１に平行）な長孔にすることによって、バンド７０をバンド挿通孔４２１内で側板１２の表面に平行な方向に移動させることができる。図２の例では、バンド７０をバンド挿通孔４２１に挿通させてヒンジ部３０及びラッチ６０に当接するようにして照明装置本体１０の周りに巻き付けている。このように、バンド７０を巻き付ける位置を調整して確実にバンド７０を締め付けることができる。
【００２３】
図３は本実施の形態の照明装置の設置状態の一例を示す説明図である。本実施の形態の照明装置は、トンネル用の照明装置に適用することができる。以下では、トンネル内に設置する場合の一例を示す。トンネルの壁１００には、両端側がＬ字状に屈曲した板状の一対の金具１０２、１０２が水平方向に沿って離隔して固定されている。具体的には、金具１０２、１０２の一端側をボルト１０４で壁に固定してある。金具１０２、１０２の水平方向の離隔寸法は、照明装置の二つの取付部材５０の離隔寸法と同程度である。金具１０２、１０２の他端側には、取付孔５１に締結されたボルト１０６によって取付部材５０が固定される。
【００２４】
同様に、両端側がＬ字状に屈曲した板状の一対の金具１０１、１０１が水平方向に沿って離隔して固定されている。具体的には、金具１０１、１０１の一端側をボルト１０３で壁に固定してある。金具１０１、１０１の水平方向の離隔寸法は、照明装置の二つの取付部材５０の離隔寸法と同程度である。金具１０１、１０１の他端側には、取付孔５１に締結されたボルト１０５によって取付部材５０が固定される。これにより、照明装置は、４箇所で金具１０１、１０２に固定される。
【００２５】
壁１００の適宜の位置には、断面形状がＬ字状のワイヤ固定金具１１１がボルト１１２によって固定されている。ワイヤ固定金具１１１には、ワイヤ８０を取り付ける孔１１３が形成されている。
【００２６】
ワイヤ８０の一端側をワイヤ挿通孔４２２に挿通し、ワイヤ８０の他端側を、壁などに固定されたワイヤ固定金具１１１に固定することにより、照明装置の取付部材５０による取付に何らかの不都合があったとしても、照明装置は、落下防止部材４０（ワイヤ挿通孔４２２）に取り付けられたワイヤ８０により壁などから吊られた状態となり、照明装置が落下することを確実に防止できる。
【００２７】
また、図３に示すように、バンド７０をバンド挿通孔４２１に挿通させて、前面カバー２０が側板１２（照明装置本体１０）から離脱しないように巻き付けることができるので、照明装置の落下防止と前面カバー２０の落下防止とを同時にすることができる。
【００２８】
図４は本実施の形態の照明装置のヒンジ部３０の要部構成の一例を示す説明図である。図４では、ヒンジ部３０の回動軸３２によって前面カバー２０を回動させることができる。図４に示すように、ヒンジ部３０は、回動軸３２から前面カバー２０の裏側及び側板１２の表面に沿ってＬ字状に延設され、側板１２に固定されるヒンジ固定板３１を備える。
【００２９】
ヒンジ固定板３１及び平板部材４１は、重ね合った状態で共通の固定部材５５によって側板１２に固定されている。固定部材５５は、ねじ、ボルト、リベットなど適宜の部材を用いることができる。
【００３０】
平板部材４１（落下防止部材４０）を側板１２に固定するための固定部材５５をヒンジ部３０を取り付けるための固定部材と共用することができるので、部品点数を少なくすることができる。また、平板部材４１（落下防止部材４０）を側板１２に固定するための新たな取付孔を設ける必要がないので、水が照明装置内に浸入する可能性がなく現状通りの防水性能を維持することができる。
【００３１】
図５は本実施の形態の照明装置の取付部材５０及び落下防止部材４０の位置関係の一例を示す説明図である。図５は照明装置を前面カバー２０側から見た状態を示すが、便宜上、前面カバー２０及びヒンジ部３０は省略している。また、図中、符号Ａは、上側の側板１２の表面に対して垂直な方向（垂直方向）を表す。
【００３２】
図５に示すように、立板部材４２には、上側の側板１２の表面と平行な水平方向に沿って二つのワイヤ挿通孔４２２を設けている。図中、右側のワイヤ挿通孔４２２に注目すると、ワイヤ挿通孔４２２の中央部と、バンド挿通孔４２１の右側の端部との間は、水平方向に沿った寸法ｄ１だけ離れている。
【００３３】
別言すれば、ワイヤ挿通孔４２２の中央部を通る垂直方向の仮想直線の位置は、バンド挿通孔４２１の短手側の端部の位置に対してバンド挿通孔４２１の中央部と反対側に向かって所要距離ｄ１だけ偏位している。すなわち、ワイヤ挿通孔４２２の中央部の位置と、バンド挿通孔４２１の短手側の端部の位置とが、平板部材４１に平行な水平方向に沿って相対的に偏位している。なお、図示していないが、他の取付部材５０及び落下防止部材４０についても同様である。
【００３４】
また、図中、左側のワイヤ挿通孔４２２に注目すると、同様に、ワイヤ挿通孔４２２の中央部と、バンド挿通孔４２１の左側の端部との間は、水平方向に沿った所要寸法（例えば、寸法ｄ１）だけ離れている。
【００３５】
上述の構成により、ワイヤ挿通孔４２２にワイヤ８０が取り付けられた状態（すなわち、照明装置が壁などに設置された状態）で、バンド７０をバンド挿通孔４２１に挿通させる際に、ワイヤ８０と干渉することを防止することができ、バンド７０の装着又は取り外しが容易になる。また、バンド７０を装着又は取り外す際に、予めワイヤ８０を取り外す必要がなくなるので、照明装置の前面カバー２０を開閉するような保守時などに照明装置が落下することを確実に防止することができる。
【００３６】
また、図５に示すように、前面カバー２０側から見た場合、落下防止部材４０は、取付部材５０よりも照明装置の端部寄りに設けられている。落下防止部材４０のバンド挿通孔４２１の左側の端部（取付部材５０寄りの端部）と、取付部材５０の右側の端部（落下防止部材４０寄りの端部）との間は、水平方向に沿った寸法ｄ２だけ離れている。
【００３７】
別言すれば、落下防止部材４０のバンド挿通孔４２１を通る垂直方向の仮想直線は、落下防止部材４０に対応する（落下防止部材４０に対して直近の）取付部材５０の長手側の端部から離隔する方向に向かって所要距離ｄ２だけ偏位している。すなわち、バンド挿通孔４２１の位置と、直近の取付部材５０の長手側の端部の位置とが、平板部材４１に平行な方向に沿って相対的に偏位している。なお、図示していないが、他の取付部材５０及び落下防止部材４０についても同様である。
【００３８】
なお、バンド挿通孔４２１の位置は、図示したように、バンド挿通孔４２１の左側の端部の位置でもよく、あるいはバンド挿通孔４２１の中央部の位置でもよい。
【００３９】
上述の構成により、バンド７０をバンド挿通孔４２１に挿通させる際に、バンド７０が取付部材５０と干渉することを防止することができ、バンド７０の装着又は取り外しが容易になる。
【００４０】
本実施の形態の照明装置は、底板と、該底板の縁辺から立設された側板と、前記底板及び側板で構成された収容部に収容された光源と、前記側板で囲まれた開口を覆う透光板と、前記底板の前記開口と反対側の裏面に固定された複数の取付部材とを備える照明装置であって、前記側板の適長離隔した位置に取り付けられた複数の落下防止部材を備え、各落下防止部材は、前記側板の表面に平行に配置された平板部材と、該平板部材から前記側板の表面に対して垂直方向に延設された立板部材とを有し、前記立板部材は、前記照明装置の落下防止用のワイヤを挿通する少なくとも一つのワイヤ挿通孔を有する。
【００４１】
照明装置は、側板の適長離隔した位置に取り付けられた複数の落下防止部材を備える。落下防止部材は、例えば、照明装置の中央部から両端部の方向に向かった適宜の２箇所に設けることができる。
【００４２】
各落下防止部材は、側板の表面に平行に配置された平板部材と、平板部材から側板の表面に対して垂直方向に延設された立板部材とを有する。各落下防止部材は、平板部材と立板部材とによって、例えば、Ｌ字状をなすように構成することができる。
【００４３】
立板部材は、照明装置の落下防止用のワイヤを挿通する少なくとも一つのワイヤ挿通孔を有する。ワイヤの一端側をワイヤ挿通孔に挿通し、ワイヤの他端側を、壁などに固定された金具に固定することにより、照明装置の取付部材による取付に何らかの不都合があったとしても、照明装置は、落下防止部材に取り付けられたワイヤにより壁などから吊られた状態となり、照明装置が落下することを確実に防止できる。
【００４４】
本実施の形態の照明装置は、前記立板部材は、前記透光板の落下防止用のバンドを挿通するバンド挿通孔を有する。
【００４５】
立板部材は、透光板の落下防止用のバンドを挿通するバンド挿通孔を有する。バンドは、バンド挿通孔に挿通させて、透光板が側板から離脱しないように巻き付けることができる。これにより、照明装置の落下防止と透光板の落下防止とを同時にすることができる。
【００４６】
本実施の形態の照明装置は、前記バンド挿通孔は、長手側が前記平板部材に平行な長孔である。
【００４７】
バンド挿通孔は、長手側が平板部材に平行な長孔である。バンド挿通孔を平板部材に平行な長孔にすることによって、バンドをバンド挿通孔内で平板部材に平行な方向に移動させることができ、バンドを巻き付ける位置を調整して確実にバンドを締め付けることができる。
【００４８】
本実施の形態の照明装置は、前記ワイヤ挿通孔の中央部を通る前記垂直方向の仮想直線の位置は、前記バンド挿通孔の短手側の端部の位置に対して該バンド挿通孔の中央部と反対側に向かって所要距離だけ偏位している。
【００４９】
ワイヤ挿通孔の中央部を通る垂直方向の仮想直線の位置は、バンド挿通孔の短手側の端部の位置に対してバンド挿通孔の中央部と反対側に向かって所要距離だけ偏位している。すなわち、ワイヤ挿通孔の中央部の位置と、バンド挿通孔の短手側の端部の位置とが、平板部材に平行な方向に沿って相対的に偏位している。
【００５０】
上述の構成により、ワイヤ挿通孔にワイヤが取り付けられた状態（すなわち、照明装置が壁などに設置された状態）で、バンドをバンド挿通孔に挿通させる際に、ワイヤと干渉することを防止することができ、バンドの装着又は取り外しが容易になる。また、バンドを装着又は取り外す際に、予めワイヤを取り外す必要がなくなるので、照明装置の透光板を開閉するような保守時などに照明装置が落下することを確実に防止することができる。
【００５１】
本実施の形態の照明装置は、前記複数の落下防止部材は、前記複数の取付部材に対応して配置され、前記複数の取付部材それぞれは、前記底板の裏面から前記垂直方向に沿って突出した長尺状をなし、一の落下防止部材の前記バンド挿通孔を通る前記垂直方向の仮想直線は、前記一の落下防止部材に対応する一の取付部材の長手側の端部から離隔する方向に向かって所要距離だけ偏位している。
【００５２】
複数の落下防止部材は、複数の取付部材に対応して配置されている。複数の取付部材それぞれは、底板の裏面から垂直方向に沿って突出した長尺状をなす。一の落下防止部材のバンド挿通孔を通る垂直方向の仮想直線は、一の落下防止部材に対応する一の取付部材の長手側の端部から離隔する方向に向かって所要距離だけ偏位している。すなわち、バンド挿通孔の位置と、直近の取付部材の長手側の端部の位置とが、平板部材に平行な方向に沿って相対的に偏位している。
【００５３】
上述の構成により、バンドをバンド挿通孔に挿通させる際に、バンドが取付部材と干渉することを防止することができ、バンドの装着又は取り外しが容易になる。
【００５４】
本実施の形態の照明装置は、前記側板に固定されるヒンジ固定板を有し、前記透光板を回動可能に支持するヒンジ部を備え、前記平板部材及びヒンジ固定板それぞれは、共通の固定部材によって前記側板に固定されている。
【００５５】
ヒンジ部は、側板に固定されるヒンジ固定板を有し、透光板を回動可能に支持する。平板部材及びヒンジ固定板それぞれは、共通の固定部材によって側板に固定されている。これにより、落下防止部材を側板に固定するための固定部材を共用することができるので、部品点数を少なくすることができる。また、落下防止部材を側板に固定するための新たな取付孔を設ける必要がないので、水が照明装置内に浸入する可能性がなく現状通りの防水性能を維持することができる。
【符号の説明】
【００５６】
１０  照明装置本体
１１  底板
１２  側板
２０  前面カバー
２１  枠体
２２  前面ガラス
３０  ヒンジ部
３１  ヒンジ固定板
３２  回動軸
４０  落下防止部材
４１  平板部材
４２  立板部材
４２１  バンド挿通孔
４２２  ワイヤ挿通孔
５０  取付部材
５１  取付孔
５５  固定部材
６０  ラッチ
７０  バンド
８０  ワイヤ
１００  壁
１０１、１０２  金具
１０３、１０４、１０５、１０６  ボルト
１１１  ワイヤ固定金具
１１２  ボルト
１１３  孔
【図１】
0003213563.tif 000003
【図２】
0003213563.tif 000004
【図３】
0003213563.tif 000005
【図４】
0003213563.tif 000006
【図５】
0003213563.tif 000007